(57)【特許請求の範囲】
【請求項１】
端子台が配置される長尺の本体取付部と、
長尺の開口部が形成された外装部であって、前記本体取付部と前記開口部とが対向するように配置された外装部と、
長尺に形成され、光源が取り付けられる発光面の裏面に前記光源に電力を供給する電源部が配置され、前記裏面の長尺の縁部に沿って前記裏面から光源側壁部が突出し、前記電源部と前記光源側壁部とが前記開口部に挿入されて前記本体取付部に取り付けられる光源部と
を備え、
前記光源側壁部と前記本体取付部との間に、前記端子台に接続される電線が挿入される配線開口部が形成され、
前記本体取付部は、
被取付部に取り付けられる底面部と、前記底面部の長尺の縁部から突き出す側壁部とを備え、
前記配線開口部は、
前記側壁部の先端と前記光源側壁部の先端との間に形成される照明器具。
【請求項２】
端子台が配置される長尺の本体取付部と、
長尺の開口部が形成された外装部であって、前記本体取付部と前記開口部とが対向するように配置された外装部と、
長尺に形成され、光源が取り付けられる発光面の裏面に前記光源に電力を供給する電源部が配置され、前記裏面の長尺の縁部に沿って前記裏面から光源側壁部が突出し、前記電源部と前記光源側壁部とが前記開口部に挿入されて前記本体取付部に取り付けられる光源部と
を備え、
前記光源側壁部と前記本体取付部との間に、前記端子台に接続される電線が挿入される配線開口部が形成され、
前記外装部の材料は、前記本体取付部と異なる材料で形成されている照明器具。
【請求項３】
前記外装部は、
前記開口部の長手方向に沿う開口縁部に連続して形成された傾斜部を備え、
前記電線の一部は、前記配線開口部に挿入され、前記傾斜部に隣接する配線空間に配置される請求項１または請求項２に記載の照明器具。
【請求項４】
前記本体取付部は、被取付部に取り付けられ、
前記傾斜部は、前記被取付部に向かって傾斜する請求項３に記載の照明器具。
【請求項５】
前記配線開口部は、
前記電線の径より広い幅である請求項１から請求項４のいずれか１項に記載の照明器具。
【請求項６】
前記照明器具は、
前記本体取付部の端部を取り付けると共に前記外装部の端部を取り付け、前記本体取付部と前記外装部とを固定する端板部を備える請求項１から請求項５のいずれか１項に記載の照明器具。
【請求項７】
前記端板部は、前記電線を通過させる電線送り孔が形成され、
前記照明器具は、少なくとも２つの照明器具を備え、
一方の照明器具の端子台に接続される電線は、前記一方の照明器具の配線空間と、前記一方の照明器具の電線送り孔と、他方の照明器具の電線送り孔と、前記他方の照明器具の配線空間とを介して、前記他方の照明器具の端子台に接続される請求項６に記載の照明器具。
【発明の詳細な説明】
【技術分野】
【０００１】
本発明は、長尺状の照明器具に関するものであり、特に、複数を長手方向に隣り合わせに配置して用いる照明器具に関する。
【背景技術】
【０００２】
特許文献１には、ＬＥＤモジュールおよび直流電源装置を内蔵する長尺状の光源部と、この光源部が着脱自在に取り付けられる逆富士形状をした器具本体とを備える照明器具が開示されている。
【先行技術文献】
【特許文献】
【０００３】
【特許文献１】特開２０１４−７８４２６号公報
【発明の概要】
【発明が解決しようとする課題】
【０００４】
特許文献１の照明器具では、器具本体に長手方向に沿って光源部の一部が収容される凹部が形成されている。この照明器具では、複数の照明器具を長手方向に隣接させて取り付けるとき、凹部内に設けられている端子台間をＦケーブル等の電源線で連結するように、送り配線を行っている。
しかしながら、照明器具の高さは意匠性向上の目的で極限まで低く抑えられており、配線の施工状態によっては、配線が光源部に搭載された直流電源装置と器具本体との間で干渉し、光源部が取り付けにくいという課題があった。
また、光源部が収納した配線により押され、器具本体との間に隙間が発生しやすいという課題があった。
【０００５】
本発明は、複数の照明器具間を送り配線したときに、光源部を器具本体へ取り付ける際、送り配線が干渉しないようにすることを目的とする。
【課題を解決するための手段】
【０００６】
本発明に係る照明器具は、端子台が配置される長尺の本体取付部と、長尺の開口部が形成された外装部であって、前記本体取付部と前記開口部とが対向するように配置された外装部と、長尺に形成され、光源が取り付けられる発光面の裏面に前記光源に電力を供給する電源部が配置され、前記裏面の長尺の縁部に沿って前記裏面から光源側壁部が突出し、前記電源部と前記光源側壁部とが前記開口部に挿入されて前記本体取付部に取り付けられる光源部とを備え、前記光源側壁部と前記本体取付部との間に、前記端子台に接続される電線が挿入される配線開口部が形成される。
【発明の効果】
【０００７】
本発明に係る照明器具によれば、光源側壁部と本体取付部との間に、端子台に接続される電線を挿入する配線開口部が形成されるので、送り配線された電線が端子台や電源部と干渉することを防止することができる。
【図面の簡単な説明】
【０００８】
【図１】実施の形態１の照明器具を示す斜視図。
【図２】実施の形態１の照明器具を示す分解斜視図。
【図３】実施の形態１の光源部を示す斜視図。
【図４】実施の形態１の器具本体部を示す斜視図。
【図５】実施の形態１の器具本体部を示す分解斜視図。
【図６】実施の形態１の器具本体部を示す断面図。
【図７】実施の形態１の照明器具を示す断面図。
【図８】実施の形態１の照明器具の取付工程図。
【図９】実施の形態１の照明器具の配線図。
【図１０】実施の形態１の器具本体部の変形例１を示す分解斜視図。
【図１１】実施の形態１の器具本体部の変形例２を示す分解斜視図。
【図１２】実施の形態１の器具本体部の変形例３を示す断面図。
【図１３】実施の形態１の器具本体部の変形例３を示す分解斜視図。
【図１４】実施の形態１の照明器具の配線変形例を示す図。
【発明を実施するための形態】
【０００９】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。
なお、本実施の形態では、取付方向を上方と呼び、照射方向を下方と呼ぶ場合がある。
【００１０】
実施の形態１．
図１は、本実施の形態に係る照明器具１の斜視図である。図２は、図１に示す照明器具１の分解斜視図である。図３の（ａ）は図２の光源部１０を上方から見た斜視図であり、図３の（ｂ）は図２の光源部１０を下方から見た斜視図である。図４は、図２に示す器具本体部１００の斜視図である。図５は、図４に示す器具本体部１００の分解斜視図である。図６の（ａ）は、図４に示す器具本体部１００の分解断面図であり、図６の（ｂ）は、図４に示す器具本体部１００の断面図である。図７は、図１に示す照明器具１の断面図である。
【００１１】
＊＊＊構成の説明＊＊＊
照明器具１は、光源部１０と、この光源部１０が着脱可能に取り付けられる器具本体部１００とを備える。器具本体部１００は、外装部１１０と本体取付部１２０とを備える。
【００１２】
光源部１０は、長尺に形成された取付部１１と、この取付部１１に取り付けられるＬＥＤモジュール１２と、このＬＥＤモジュール１２を覆うように取付部１１に取り付けられる透光カバー１３とを備える。また、光源部１０は、取付部１１に取り付けられ、ＬＥＤモジュール１２に電力を供給する電源部１４と、光源部１０を器具本体部１００に固定する為のバネ部１４０が引っ掛けられる開口を有するバネ受部１５とを備える。
ＬＥＤモジュール１２は、光源の一例である。また、取付部１１は、ＬＥＤモジュール１２が取り付けられる発光面１１０１と電源部１４が取り付けられる発光面の裏面１１０２とを有する。
【００１３】
図７に示すように、取付部１１は、照射側の面である発光面１１０１にＬＥＤモジュール１２が取り付けられ、取付側の面である発光面の裏面１１０２に電源部１４が配置される。取付部１１は、長手両側辺よりＬＥＤモジュール１２が取り付けられた側と反対方向に突設するように光源側壁部１１ａが形成されている。
【００１４】
すなわち、光源部１０は、長尺に形成され、光源であるＬＥＤモジュール１２が取り付けられる発光面の裏面１１０２に、光源に電力を供給する電源部１４が配置される。また、光源部１０は、発光面の裏面１１０２の長尺の縁部に沿って発光面の裏面１１０２から突出する光源側壁部１１ａを備える。光源部１０は、電源部１４と光源側壁部１１ａとが、後述する開口部１１１ａに挿入されて本体取付部１２０に取り付けられる。
【００１５】
図５に示すように、器具本体部１００は、中央が開口したロの字形状であり長尺に形成された外装部１１０と、天井などの被取付部２００に取り付けられ長尺に形成された本体取付部１２０と、外装部１１０と本体取付部１２０とのそれぞれの両端に配置され外装部１１０と本体取付部１２０を連結させる端板部１３０とを備える。
なお、図４に示すように、器具本体部１００の本体取付部１２０には、光源部１０を固定するためのバネ部１４０と、外部から引き込まれた電源電線が接続される端子台１５０とが配設されている。バネ部１４０は、円弧形状部１４０ａと、先端部１４０ｂとを備える。端子台１５０は電源端子台とも称される。
【００１６】
外装部１１０は、長尺の開口部１１１ａが形成され、本体取付部１２０と開口部１１１ａとが対向するように配置される。外装部１１０は、開口部１１１ａの長尺の開口縁部１１１ｂから連続して形成された傾斜部１１２を備える。
すなわち、外装部１１０は、中央に開口した開口部１１１ａと開口部１１１ａ周部に形成された開口縁部１１１ｂを有する挿入部１１１と、挿入部１１１の長尺の両側辺に形成された傾斜部１１２とを備えている。
【００１７】
本体取付部１２０は、長尺に形成され、端子台１５０が配置される。本体取付部１２０は、被取付部２００に取り付けられる底面部１２１と、底面部１２１の長尺の縁部から突き出す側壁部１２２とを備える。傾斜部１１２は、被取付部２００に向かって傾斜する。
本体取付部１２０は、天井などの被取付部２００に取り付けられる。底面部１２１には、バネ部１４０と端子台１５０とが配設される。側壁部１２２は、底面部１２１の短手方向の両端側に形成される。
【００１８】
端板部１３０は、本体取付部１２０の端部を取り付けると共に外装部１１０の端部を取り付け、本体取付部１２０と外装部１１０とを固定する。端板部１３０には、電線を通過させる電線送り孔１３１が形成される。
端板部１３０は、外装部１１０の外郭に沿った略台形形状である。電線送り孔１３１は、外部から電線を引き込む為の孔である。また、端板部１３０は外装部１１０と本体取付部１２０とを連結するための連結部を備えている。電線送り孔１３１はノックアウト加工により形成されている。
【００１９】
端板部１３０は、外装部１１０の長手方向両端と本体取付部１２０の長手方向両端とのそれぞれに配設されている。
図６（ｂ）に示すように、端板部１３０は、開口縁部１１１ｂと側壁部１２２の先端との間に開放部１０１１が形成されるように外装部１１０と本体取付部１２０を連結している。端板部１３０は、外装部１１０と本体取付部１２０とが離れた状態で、外装部１１０と本体取付部１２０とを固定する。
【００２０】
図７に示すように、光源部１０が器具本体部１００に取り付けられると、光源側壁部１１ａと本体取付部１２０との間に、端子台１５０に接続される電線が挿入される配線開口部１０１が形成される。配線開口部１０１は、電線の径より広い幅である。配線開口部１０１は、側壁部１２２の先端と光源側壁部１１ａの先端との間に形成される。
配線開口部１０１の幅は、光源部１０が器具本体部１００に取り付けられたときに光源側壁部１１ａと側壁部１２２との距離Ａが電線１６０，１７０の幅Ｂより大きくなる長さである。
電線の一部は、配線開口部１０１に挿入され、傾斜部１１２に隣接する配線空間１０２に配置される。
【００２１】
図６の（ａ）、図６の（ｂ）に示すように、端板部１３０は台形形状であり、取付側に長辺部分が配置される。端板部１３０は、取付側の辺を板上部１３２、照射側の辺を板下部１３３、板上部１３２の両端部から略直角に照射側に形成された立板部１３５、立板部１３５と板下部１３３との間に形成された板傾斜部１３４を備える。
外装部１１０は、傾斜部１１２の上端部に爪部１１３を有する。外装部１１０の傾斜部１１２、開口縁部１１１ｂが、端板部１３０の板傾斜部１３４、板下部１３３を覆うように配置され、外装部１１０の爪部１１３を立板部１３５の上端部に引っ掛ける。このような構成により、外装部１１０が端板部１３０に連結、固定される。
また、本体取付部１２０の底面部１２１が、端板部１３０の板上部１３２と嵌め合うことにより、本体取付部１２０が端板部１３０に連結、固定される。
【００２２】
端板部１３０と外装部１１０との連結構造、端板部１３０と外装部１１０との連結構造は、上述した連結構造に限らない。端板部１３０と外装部１１０との連結、及び端板部１３０と外装部１１０との連結は、互いに嵌り合う嵌合形状などによる連結であり、爪などによる係止形状による連結、ねじなどによる連結、または接着材などによる連結などでも良い。
【００２３】
器具本体部１００は、外装部１１０と本体取付部１２０とを別部品として構成しているため、それぞれ別の材料により製造、製作することができる。すなわち、外装部１１０の材料は、本体取付部１２０と異なる材料で形成されていてもよい。
例えば、意匠面である外装部１１０に対して、表面に現れない本体取付部１２０は安価な材料、例えば、塗装なしの鋼板により製作しても良い。また、被取付部２００に取り付けられるとともに光源部１０を保持する為に強度を必要とする本体取付部１２０に対して、本体取付部１２０ほど強度を必要としない外装部１１０は本体取付部１２０の材料より板厚が薄い材料で製作しても良い。このように、材料を変えることによりコストを抑制することができ、また、板厚が薄い材料で構成した場合は、外装部１１０を軽量化することもできる。
【００２４】
＊＊＊機能の説明＊＊＊
次に、図８を用いて、光源部１０の装着作業について説明する。
図８の（ａ）は、器具本体部１００に光源部１０が取り付けられる前の状態を示す。
図８の（ｂ）は、作業者がバネ部１４０の円弧形状部１４０ａを弾性変形させた状態で、光源部１０のバネ受部１５にバネ部１４０の先端部１４０ｂを連結した状態を示す。
図８の（ｃ）は、バネ部１４０がバネ受部１５の開口に対して摺動する状態を示す。
図８の（ｄ）は、器具本体部１００に光源部１０が取り付けられた状態を示す。
【００２５】
図８に示す各状態について、さらに説明する。
（１）図８の（ａ）では、光源部１０にバネ受部１５が取り付けられており、光源部１０は器具本体部１００に取り付けられていない状態である。
（２）図８の（ｂ）では、作業者が、バネ部１４０の先端部１４０ｂを、バネ受部１５の開口縁部に引っ掛けて、光源部１０を器具本体部１００に吊り下げた状態を示す。バネ部１４０は、図８の（ｂ）（ｃ）のように２個のバネ部１４０が、器具本体部１００の両端部分に配置されている。反対側のバネ部１４０も同様に操作することにより、光源部１０を器具本体部１００に対して略平行な状態で保持できる。
（３）図８の（ｃ）では、作業者が光源部１０を上方、すなわち天井方向、取付方向に持ち上げると、バネ部１４０の円弧形状部１４０ａの裏面が、バネ受部１５の開口縁部に対して、バネの復元力により摺動する。
（４）図８の（ｄ）では、作業者が、器具本体部１００に光源部１０を差し込むことで、光源部１０の器具本体部１００への装着が完了する。
【００２６】
光源部１０の器具本体部１００からの取り外し方は、装着時と逆の手順により取り外すことができる。
【００２７】
図８の（ｄ）の状態では、光源部１０はバネ部１４０の弾性力により器具本体部１００の側へ押圧されており、器具本体部１００の外装部１１０は本体取付部１２０の側へ光源部１０により押圧される。
器具本体部１００は、外装部１１０と本体取付部１２０とがそれぞれの両端を端板部１３０により連結されているため、外装部１１０の長手中央付近が浮き上がる傾向にある。つまり、外装部１１０の長手中央付近部分は、天井などの被取付部等に設置した際には垂れ下がる傾向にある。しかし、上述したように、光源部１０が外装部１１０を押圧するので、外装部１１０の浮き上がりを防止することができる。
【００２８】
次に、図９を用いて、複数の器具本体部１００を長手方向に連結させた際の配線方法に関して説明をする。連結させた際の配線方法の説明の一例として、第１の照明器具１Ａと第２の照明器具１Ｂを用いて説明を行う。上述した照明器具１の構成部については、第１の照明器具１Ａの構成部については添え字Ａを付し、第２の照明器具１Ｂの構成部については添え字Ｂを付して説明する。
【００２９】
まず、第１の照明器具１Ａの器具本体部１００Ａを天井などの被取付部に取り付け、第２の照明器具１Ｂの器具本体部１００Ｂを長手方向に並べて取り付ける。
次に、天井などから引き出された電源電線１６０を第１の照明器具１Ａの器具本体部１００Ａに取り付けられている端子台１５０Ａの電線挿入孔に挿入する。
次に、この端子台１５０Ａの送り電線が挿入される端子部分である送り電線挿入孔に送り電線１７０を挿入する。
次に、この送り電線を配線開口部１０１Ａから底面部１２１Ａの両側に長手方向に沿って形成される配線空間１０２Ａに挿入する。配線空間１０２Ａは、図７に示すように、傾斜部１１２Ａと被取付部２００との間に隣接するように形成される空間である。
【００３０】
送り電線１７０は配線空間１０２Ａ内を経由して第２の照明器具１Ｂの器具本体部１００Ｂに送られる。
器具本体部１００Ａ，１００Ｂの端板部１３０Ａ，１３０Ｂには、ノックアウト形成された電線送り孔１３１Ａ，１３１Ｂが形成されている。電線送り孔１３１Ａ，１３１Ｂにおいて、予めノックアウトを外し、第１の照明器具１Ａと第２の照明器具１Ｂとの間の電線送り孔１３１Ａ，１３１Ｂを連通させておく。この連通させた電線送り孔１３１Ａ，１３１Ｂを介して、送り電線１７０を送ることができる。
【００３１】
電線送り孔１３１Ａ，１３１Ｂを通じて送られた送り電線１７０は、第２の照明器具１Ｂの配線空間１０２Ｂに挿入され、送り電線１７０の先端部は端子台１５０Ｂの電源線挿入孔に挿入される。
以上のように、照明器具は、少なくとも２つの照明器具１、すなわち第１の照明器具１Ａと第２の照明器具１Ｂとを備える。一方の照明器具１Ａの端子台１５０Ａに接続される電線１７０は、一方の照明器具１Ａの配線空間１０２Ａと、一方の照明器具１Ａの電線送り孔１３１Ａと、他方の照明器具１Ｂの電線送り孔１３１Ｂと、他方の照明器具１Ｂの配線空間１０２Ｂとを介して、他方の照明器具１Ｂの端子台１５０Ｂに接続される。
【００３２】
次に、図１０を用いて、器具本体部１００の変形例１である器具本体部１００ｈについて説明する。以下において、変形例の照明器具とその構成部には、同一の添え字を付して説明する。
上述した器具本体部１００では、端板部１３０は外装部１１０の外郭に沿った形状であったが、図１０に示すように、端板部１３０ｈとは別部材である第１連結部１３０１を用いてもよい。第１連結部１３０１を用いて外装部１１０ｈの両端部と本体取付部１２０ｈの両端部とを連結させる。そして、端板部１３０ｈは外装部１１０ｈの端部に配置された第１連結部１３０１に固定される構成でもよい。
また、図１０に示すように、第２連結部１３０２を両側の端板部１３０ｈの間に配置することにより、外装部１１０ｈと本体取付部１２０ｈの連結をさらに強めても良い。
【００３３】
また、上述した器具本体部１００では、外装部１１０は挿入部１１１と傾斜部１１２とが一体に形成されている形状に関して説明を行ったが、外装部１１０は挿入部１１１と傾斜部１１２とが別部品として別々に形成されていてもよい。
【００３４】
あるいは、図１１に示すような器具本体部１００の変形例２である器具本体部１００ｉでもよい。図１１に示すように、外装部１１０ｉは、２つの傾斜部１１２ｉと２つの端板部１３０ｉとから構成されていても良い。図１１に示すように、傾斜部１１２ｉに対し、開口縁部１１１ｂに相当する開口縁部１１１ｂｉを形成することで、傾斜部１１２ｉと端板部１３０ｉとにより光源部１０が挿入される開口部１１１ａｉを形成してもよい。
【００３５】
次に、図１２及び図１３を用いて、照明器具１の変形例３である照明器具１ｊについて説明する。上述した照明器具１は、逆富士型形状をなす照明器具であったが、図１２に示すように、富士型形状をした埋込型照明器具１ｊについても本実施の形態を適用することができる。
図１２に示すように、照明器具１ｊは、被取付部２００ｊに形成された埋め込み孔に埋め込まれて取り付けられる。このとき、本体取付部１２０ｊと光源部１０ｊとの間に形成される配線開口部１０１ｊから電線を配線空間１０２ｊに配置することにより、送り電線が電源部１４ｊや器具本体部１００ｊ等と干渉することを防止することができる。
【００３６】
図１３を用いて、照明器具１ｊの器具本体部１００ｊの構成について説明する。
器具本体部１００ｊは、図１４に示すような外装部１１０ｊ、本体取付部１２０ｊ、端板部１３０ｊを備える。
端板部１３０ｊと外装部１１０ｊとの連結構造、端板部１３０ｊと外装部１１０ｊとの連結構造は、上述したように、互いに嵌り合う嵌合形状などによる連結であり、爪などによる係止形状による連結、ねじなどによる連結、または接着材などによる連結などでも良い。
【００３７】
次に、図１４を用いて、端板部１３０の変形例である端板部１３０ｐについて説明する。
上述した端板部１３０では、電源電線送り孔１３１のノックダウンは端板部１３０の略中央に配置している。しかし、図１４の（ａ）に示すように、電源電線送り孔１３１ｐは配線空間１０２Ａｐ，１０２Ｂｐに当面する位置に形成しても良い。すなわち、端板部１３０ｐは、板上部１３２ｐの中央部ではなく、配線空間１０２Ａｐ，１０２Ｂｐに当面する両端部近傍に２つの電源電線送り孔１３１ｐをノックアウト加工により設ける。このように、電源電線送り孔１３１ｐを形成することにより、配線空間１０２Ａｐと配線空間１０２Ｂｐとを直接連通させることができ、図１４（ｂ）に示すような配線をすることができる。
【００３８】
＊＊＊効果の説明＊＊＊
本実施の形態によれば、器具本体部１００は、端板部１３０が外装部１１０と本体取付部１２０を連結させることにより、外装部１１０の開口縁部１１１ｂと器具本体部の側壁部１２２との間に開放部１０１１を容易に形成することができる。また、傾斜部１１２と被取付部２００との間に配線空間１０２を形成することができる。また、光源部１０を器具本体部１００に取り付けることにより、側壁部１２２と光源側壁部１１ａとの間に配線開口部１０１を容易に形成することができる。
この配線開口部１０１と配線空間１０２とにより、複数の照明器具１を電気的に連結させる為に内部に配線された送り電線１７０は、配線空間１０２に収納された状態となり、送り電線１７０が器具本体部１００の開口部１１１ａから垂れ下がったりすることがない。
そのため、光源部１０を取り付ける際、送り電線１７０が光源部１０と外装部１１０の開口部１１１ａに挟み込まれたり、電源部１４と本体取付部１２０との間に挟まったりするようなことがない。また、送り電線１７０が、光源部１０の電源部１４や器具本体部１００の端子台１５０等と干渉することがなくなる。
【００３９】
また、配線空間１０２は、被取付部２００と傾斜部１１２とに挟まれた空間に形成されるため、光源部１０を器具本体部１００に取り付けたとき、外観上からはこの配線空間１０２が形成されていることはわからず、照明器具１の意匠性を損なうことがない。したがって、意匠性を向上させながら、電源電線１６０、送り電線１７０を配線空間１０２に収容することが可能となる。
【００４０】
また、配線空間１０２を左右にそれぞれ設けることによって、光源部１０に取り付けられている電源部１４が、短手方向の一方側に寄せてある場合であっても、配線空間１０２に収められている送り電線１７０が電源部１４に干渉することがない。
【００４１】
本実施の形態では、光源として複数のＬＥＤを備えるＬＥＤモジュールを用いているが、光源には有機ＥＬあるいはレーザといったＬＥＤ以外の発光素子を用いてもよい。
【００４２】
以上、本発明の実施の形態について説明したが、この実施の形態の２つ以上の部分を組み合わせて実施しても構わない。あるいは、この実施の形態のうち、１つを部分的に実施しても構わない。なお、本発明は、この実施の形態に限定されるものではなく、必要に応じて種々の変更が可能である。
【符号の説明】
【００４３】
１，１Ａ，１Ｂ，１ｊ  照明器具、１０，１０ｊ  光源部、１１  取付部、１１ａ  光源側壁部、１２  ＬＥＤモジュール、１３  透光カバー、１４，１４ｊ  電源部、１５  バネ受部、１００，１００Ａ，１００Ｂ，１００ｈ，１００ｉ，１００ｊ，１００Ａｐ，１００Ｂｐ  器具本体部、１０１，１０１Ａ，１０１Ｂ，１０１ｊ  配線開口部、１０２，１０２Ａ，１０２Ｂ，１０２ｊ，１０２Ａｐ，１０２Ｂｐ  配線空間、１１０，１１０ｈ，１１０ｉ，１１０ｊ  外装部、１１１  挿入部、１１１ａ，１１１ａｉ，１１１ａｊ  開口部、１１１ｂ，１１１ｂｉ，１１１ｂｊ  開口縁部、１１２，１１２Ａ，１１２Ｂ，１１２ｉ，１１２ｊ  傾斜部、１１３  爪部、１２０，１２０ｈ，１２０ｉ，１２０ｊ  本体取付部、１２１，１２１Ａ，１２１Ｂ，１２１ｊ  底面部、１２２，１２２ｊ  側壁部、１３０，１３０Ａ，１３０Ｂ，１３０ｈ，１３０ｉ，１３０ｊ，１３０ｐ  端板部、１３１，１３１Ａ，１３１Ｂ，１３１ｊ，１３１ｐ，１３１Ａｐ，１３１Ｂｐ  電線送り孔、１３２，１３２ｐ  板上部、１３３  板下部、１３４  板傾斜部、１３５  立板部、１４０，１４０Ａ，１４０Ｂ  バネ部、１４０ａ  円弧形状部、１４０ｂ  先端部、１５０，１５０Ａ，１５０Ｂ，１５０Ａｐ，１５０Ｂｐ  端子台、１６０，１７０，１７０ｐ  電線、２００，２００ｊ  被取付部、１０１１  開放部、１１０１  発光面、１１０２  発光面の裏面、１３０１  第１連結部、１３０２  第２連結部。
【図１】
0006472265.tif 000002
【図２】
0006472265.tif 000003
【図３】
0006472265.tif 000004
【図４】
0006472265.tif 000005
【図５】
0006472265.tif 000006
【図６】
0006472265.tif 000007
【図７】
0006472265.tif 000008
【図８】
0006472265.tif 000009
【図９】
0006472265.tif 000010
【図１０】
0006472265.tif 000011
【図１１】
0006472265.tif 000012
【図１２】
0006472265.tif 000013
【図１３】
0006472265.tif 000014
【図１４】
0006472265.tif 000015